(57)【要約】【課題】就寝時に入タイマで運転再開すると強い風量となり、風量や騒音で目が覚めるなど使用者の睡眠を妨げる可能性がある。【解決手段】操作部６の入力に基づいて運転モードと動作風量の設定を行うモード設定部９と、操作部６の入力に基づいて切・入タイマの設定をおこなうタイマ設定部１０と、モード設定部９とタイマ設定部１０からの入力により出力送風量を決める送風量算出部１１と、送風量にあわせてファンモータ３を制御し送風させるファンモータ制御部１２とを設け、送風量算出部１１は、タイマ設定部１０からの切タイマ時間経過による動作停止指示があったとき、モード設定部９が送風量を段階的に変更させる送風量段階制御モード設定の場合、次回開始風量設定を切タイマで停止したときの風量とすることで、入タイマで運転再開時も強い風量とならず、使用者が心地よい運転が得られる。【選択図】図２
2015113727.tif 000002
【特許請求の範囲】
【請求項１】
ファンと、ファンモータにより構成される送風部と、
前記送風部を支える基台と、
操作部と、
制御部を有し、
前記制御部は、
前記操作部の入力に基づいて運転モードと動作風量の設定を行うモード設定部と、
前記操作部の入力に基づいて切・入タイマの設定をおこなうタイマ設定部と、
前記モード設定部とタイマ設定部からの入力により出力送風量を決める送風量算出部と、
前記送風量にあわせて前記ファンモータを制御し前記送風部より送風させるファンモータ制御部とを有し、
前記運転モードには、前記操作部で設定した風量固定で運転する送風量固定運転モードと、送風量を段階的に変更させる送風量段階制御モードとを有し、
前記運転モードとして前記送風量段階制御モードを設定したときに、前記送風量算出部は、
前記タイマ設定部からの切タイマ時間経過による動作停止指示があったときの運転風量を次回開始風量として記憶し、
前記タイマ設定部から入タイマによる運転開始指示があったとき、前記次回開始風量で起動するよう前記ファンモータ制御部に指示する扇風機。
【請求項２】
さらに室温センサ部を有し、
前記制御部は、
前記室温センサの入力に基づいて室温を判定する室温算出部と、
さらに前記室温算出部からの入力を加え出力送風量を決める送風量算出部とし、
前記送風量算出部は、
切タイマ時間経過による動作停止時の室温から、次回運転開始時の室温の差分を求め、
一定値以上下がっている場合は、次回開始風量を下限風量の範囲内で一定値下げ、
一定値以上上がっている場合は、次回開始風量を上限風量の範囲内で一定値あげる請求項１に記載の扇風機。
【発明の詳細な説明】
【技術分野】
【０００１】
本発明は、扇風機における送風量制御に関するものである。
【背景技術】
【０００２】
従来、この種の扇風機は、室温に応じて風量を変更するものが知られている。（例えば、特許文献１参考）。
【０００３】
以下、その扇風機について図１を参照しながら説明する。
【０００４】
図１に示すように、扇風機本体１の主要部はファンモータ３、基台５および室温センサ７からなり、室温センサ７によって検出した室温により、ファンモータ３の回転数（風量）を制御して、強風、中風、弱風、停止まで自動調整する。
【先行技術文献】
【特許文献】
【０００５】
【特許文献１】特開平３−２５８９９９号公報
【非特許文献】
【０００６】
【非特許文献１】東芝、扇風機、Ｆ−ＤＬＮ１００機能一覧、    ［ｏｎｌｉｎｅ］平成２５年１１月２０日検索、インターネット    ＜ＵＲＬ：  ｈｔｔｐ：／／ｗｗｗ．ｔｏｓｈｉｂａ．ｃｏ．ｊｐ／ｌｉｖｉｎｇ／ｆａｎｓ／ｆ＿ｄｌｎ１００／ｆｕｎｃｔｉｏｎ．ｈｔｍ＞
【発明の概要】
【発明が解決しようとする課題】
【０００７】
このような自動風量制御の扇風機として例えば、就寝時眠りにつくまではある程度の風量（使用者設定中の風量など）とし、寝冷え防止のため経過時間などに応じて段階的に風量をさげるように送風量段階制御をするものがある（非特許文献１の扇風機のステップダウン機能）。
【０００８】
しかしながら非特許文献１のように、Ｘ時間後に動作させる入タイマ開始時の風量が固定であると、切タイマでの停止時と入タイマでの開始時の風量が異なってしまう場合があり、例えば、就寝時少し暑いので風量１（弱）で動作させ切タイマ停止した後に、風量３（中）で入タイマ開始されることで、使用者にとって想定以上に涼しすぎたりうるさかったりして目が覚めてしまうという課題がある（図９）。
【０００９】
そこで本発明は、上記従来の課題を解決するものであり、就寝時に送風量段階制御で開始したとき、切タイマで停止したときの風量で、入タイマでの開始風量とすることにより、使用者が心地よい睡眠が実現できる扇風機を提供することを目的とする。
【課題を解決するための手段】
【００１０】
そして、この目的を達成するために、本発明は、ファンと、ファンモータにより構成される送風部と、前記送風部を支える基台と、操作部と、制御部を有し、
前記制御部は、前記操作部の入力に基づいて運転モードと動作風量の設定を行うモード設定部と、前記操作部の入力に基づいて切・入タイマの設定をおこなうタイマ設定部と、前記モード設定部とタイマ設定部からの入力により出力送風量を決める送風量算出部と、前記送風量にあわせて前記ファンモータを制御し前記送風部より送風させるファンモータ制御部とを有し、
前記運転モードには、前記操作部で設定した風量固定で運転する送風量固定運転モードと、送風量を段階的に変更させる送風量段階制御モードとを有し、
前記運転モードとして前記送風量段階制御モードを設定したときに、前記送風量算出部は、前記タイマ設定部からの切タイマ時間経過による動作停止指示があったときの運転風量を次回開始風量として記憶し、前記タイマ設定部から入タイマによる運転開始指示があったとき、前記次回開始風量で起動するよう前記ファンモータ制御部に指示するものである。
【００１１】
これにより所期の目的を達成するものである。
【発明の効果】
【００１２】
本発明によれば、就寝時などに段々風量を弱くする、送風量段階制御モードを指定し、寝付くまでは扇風機を動作させるため、切タイマを設定し、起きる少し前から扇風機動作を再開させたいため入タイマを設定したとき、切タイマで扇風機動作停止時の風量を覚えて、入タイマでその風量から扇風機動作を再開するため、就寝中に大きな風量で再開されることなく、使用者が心地よい睡眠が得られるという効果を得ることができる。
【図面の簡単な説明】
【００１３】
【図１】本発明、及び従来の扇風機を示す外観図
【図２】本発明の実施の形態１の扇風機の制御ブロック図
【図３】同制御部における送風量算出部の停止制御を示すフローチャート
【図４】同制御部における送風量算出部の起動制御を示すフローチャート
【図５】同扇風機の動作例を示すタイムチャート
【図６】本発明の実施の形態２の扇風機の制御ブロック図
【図７】同制御部における送風量算出部の起動制御を示すフローチャート
【図８】同扇風機の動作例を示すタイムチャート
【図９】非特許文献１における切タイマと入タイマ動作例を示すタイムチャート
【発明を実施するための形態】
【００１４】
本発明の請求項１記載の扇風機は、ファンと、ファンモータにより構成される送風部と、前記送風部を支える基台と、操作部と、制御部を有し、前記制御部は、前記操作部の入力に基づいて運転モードと動作風量の設定を行うモード設定部と、前記操作部の入力に基づいて切・入タイマの設定をおこなうタイマ設定部と、前記モード設定部とタイマ設定部からの入力により出力送風量を決める送風量算出部と、前記送風量にあわせて前記ファンモータを制御し前記送風部より送風させるファンモータ制御部とを有し、前記運転モードには、前記操作部で設定した風量固定で運転する送風量固定運転モードと、送風量を段階的に変更させる送風量段階制御モードとを有し、前記運転モードとして前記送風量段階制御モードを設定したときに、前記送風量算出部は、前記タイマ設定部からの切タイマ時間経過による動作停止指示があったときの運転風量を次回開始風量として記憶し、前記タイマ設定部から入タイマによる運転開始指示があったとき、前記次回開始風量で起動するよう前記ファンモータ制御部に指示するという構成を有する。
【００１５】
これにより、就寝時に送風量段階制御で開始したとき、切タイマで停止したときの風量で、入タイマでの開始風量とするとできることにより、使用者が心地よい睡眠が実現できるという効果を奏する。
【００１６】
また、請求項２記載の扇風機として、さらに室温センサ部を有し、前記制御部は前記室温センサの入力に基づいて室温を判定する室温算出部と、さらに前記室温算出部からの入力を加え出力送風量を決める送風量算出部とし、前記送風量算出部は、切タイマ時間経過による動作停止時の室温から、次回運転開始時の室温の差分を求め、一定値以上下がっている場合は、次回開始風量を下限風量の範囲内で一定値下げ、一定値以上上がっている場合は、次回開始風量を上限風量の範囲内で一定値あげるという構成にしてもよい。
【００１７】
これにより、切タイマでの停止から次回開始まで時間があき、室温が上昇したとき、うるさくならない程度に涼しくなるよう風量をあげることができ、また室温が下がったとき、より弱い風量とすることで寝冷えを防ぐことが可能となり、さらに使用者が心地よい運転を得られるという効果を奏する。
【００１８】
以下、本発明の実施の形態について図面を参照しながら説明する。
【００１９】
（実施の形態１）
図１に示すように、本実施の形態による扇風機本体１は、送風部４と、送風部４を支える基台５を有している。さらに、基台５には、前面側に操作部６、背面側に部屋の室温を検出する室温センサ７を備えている。送風部４は、風を送るファン２と、このファン２を回転させるファンモータ３により構成されている。
【００２０】
図２に示すように、扇風機本体１の内部には、制御部８を有している。制御部８は、モード設定部９と、タイマ設定部１０と、送風量算出部１１と、ファンモータ制御部１２とで構成されている。モード設定部９は、前記操作部６の入力に基づいて運転モードと動作風量の設定を行う。タイマ設定部１０は、前記操作部６の入力に基づいて切・入タイマの設定をおこなう。送風量算出部１１は、前記モード設定部９とタイマ設定部１０からの入力により出力送風量を決める。ファンモータ制御部１２は、送風量算出部１１で決められた送風量にあわせて前記ファンモータ３を制御し前記送風部４より送風させる。
【００２１】
上記構成において、本実施の形態の扇風機の運転について説明する。
【００２２】
モード設定部９で設定できる運転モードには、送風量固定運転モードと、送風量段階制御モードが備えられている。送風量固定運転モードとは、使用者が操作部６で設定した風量（弱いほうから１−６段階など）で運転するものである。ただし、この送風量固定運転モードには、自動で風量を変更する、いわゆる「ランダム風」「ゆらぎ風」で運転するものも含んだものとする。一方、送風量段階制御モードとは、就寝時等に徐々に風量を下げていく運転を行なうものである（操作部６上は「おやすみ」ボタンとする）。以降、この送風量段階制御モードについて説明する。
【００２３】
就寝時などに、使用者は操作部６から「おやすみ」ボタンを押下し、送風量算出部１１にモード設定部９を経由し送風量段階制御モードが設定される。そして、扇風機の運転が送風量段階制御モード（「おやすみ」運転）で開始される。送風量段階制御モードの開始時には、送風量算出部１１は、使用者が操作部６からの設定風量（例えば風量６を選択）で運転を開始する。あるいは、送風量固定運転モードで運転していた風量で運転を継続する。その後一定周期（本実施の形態では３０分）ごと風量を下げていくことで就寝開始時は指定した風量で涼しく寝入り、寝入った後は寝冷えしないように就寝できる。なお、このとき、室温センサ７からの室温の情報によって、風量の制御を行ってもよい。すなわち、室温が高ければ、大きな風量で運転し、低ければ風量を一段と下げるのである。
【００２４】
次に、送風量段階制御モードを使用しながら、省エネなどの観点から就寝時と起床時だけ扇風機を動作させる場合について説明する。例えば、２Ｈ（２時間）の切タイマと６Ｈ（６時間）の入タイマを設定した場合について説明する。
【００２５】
「おやすみ」ＳＷ押下後に使用者が操作部６で２Ｈの切タイマＳＷと６Ｈの入タイマＳＷを選択すると、その情報がタイマ設定部１０に送られる。タイマ設定部１０では切タイマＳＷ押下の２Ｈ経過後、送風量算出部１１に切タイマ停止情報を送り、送風を停止（風量０）とする。その後さらに４Ｈ経過後（入タイマＳＷ押下から６Ｈ）送風量算出部１１に入タイマ開始情報を送り運転再開させる。
【００２６】
本発明の送風量算出部１１の制御を、図３，４を用いて説明する。このときのタイムチャート（動作例）を図５に示す。
【００２７】
図３は、扇風機の運転停止時に送風量算出部１１が行う処理のフローチャートである。
【００２８】
図３に示すように、ファンモータ制御部１２への送風制御中（ステップ２０）に、停止処理が行われると、ステップ２１へ進む。ステップ２１では、この停止処理がタイマ設定部１０の切タイマによるものかどうかを判断する。タイマ設定部１０から切タイマでの動作停止要求がきたとき（ステップ２１のＹ）、ステップ２２へ進む。ステップ２２では、モード設定部９からの運転モードのチェックを行い、運転モードが送風量段階制御モード中であれば（ステップ２２のＹ）、ステップ２３へ、送風量固定運転モードであれば（ステップ２２のＮ）、ステップ２４へ進む。
【００２９】
ステップ２３では、次回開始風量として、このときの風量、すなわち、動作停止時の風量（図５においては風量３）をメモリなどに記憶する。そして、ファンモータ制御部１２へ指示する送風量を０とし停止させる（ステップ２５）。
【００３０】
一方、ステップ２１において、停止処理がタイマ設定部１０からのものではないと判断されたときには（ステップ２１のＮ）、ステップ２４へ進むことになる。
【００３１】
ステップ２４では、次回開始風量として、操作部６で設定された風量（図５においては風量６）をメモリなどに記憶する。そして、上記ステップ２３を経由した場合と同様、ファンモータ制御部１２へ指示する送風量を０とし停止させる（ステップ２５）。
【００３２】
ここで、次回開始風量とは、入タイマで起動させるときの風量である。
【００３３】
次に、図４において、送風運転開始時の処理を説明する。図４に示すように、その後停止中（ステップ２５）に入タイマでの動作開始（ステップ３１のＹ）要求がタイマ設定部１０からきたとき、動作風量（すなわち、運転開始時の風量）を図３のステップ２３，２４において記憶した次回開始風量（風量３）としてファンモータ制御部１２に設定する（ステップ３５）。そして、この動作風量で運転（送風制御）再開する（ステップ２０）。
【００３４】
このような処理によれば、就寝時に切タイマ運転すると、停止するまでにある程度風量が下がる。そして、入タイマ時間経過後には、切タイマで停止した風量で運転再開することになる。その後、運転モードは送風量段階制御モードに設定されているので、段階的に風量がさがっていく（図５）。従って、睡眠を妨げることなく使用者が心地よい睡眠とすることができる。
【００３５】
一方、ステップ３１において、開始処理がタイマ設定部１０からのものではないと判断されたときには（ステップ３１のＮ）、ステップ３２へ進むことになる。これにより、切タイマで停止した後、使用者が運転開始操作をしたときには、切タイマ停止時の風量でなく、設定風量で開始される。そのため、通常の送風量段階制御モード開始時と同様、再就寝開始時は指定した風量で涼しく寝入り、寝入った後は寝冷えしないように就寝できる。
【００３６】
（実施の形態２）
図６は、第１の実施の形態の構成に室温センサ７を加えたものである。送風量算出部１１は、室温センサ７からの室温センサ値を室温算出部１３で物理量（室温）に対応する数値に変換された室温情報を入力して、室温に応じて風量を変更するものである。
【００３７】
図７は、本実施の形態における起動時の制御フローチャートである。なお、本実施の形態において、切タイマによる停止時にはそのときの室温情報を記憶する処理を行う。
【００３８】
図７に示すように、入タイマによる動作開始の場合（ステップ３１のＹ）、送風量算出部１１は、記憶された切タイマ停止時の室温と、入タイマによる運転開始時の室温と比較し、その室温変化を求める（ステップ３３）。そして、室温変化に応じてステップ３４、３５，３６の処理を行う。例えば、所定の温度（例えば、２度）以上室温があがっている場合は、切タイマで停止時の風量（すなわち、次回開始風量）よりも１段階上げる（ステップ３４）。このときの風量のタイムチャート（動作例）を図８に示す。また、ステップ３３で算出された温度変化が所定の温度（例えば、２度）以上下がっている場合は、切タイマで停止時の風量（すなわち、次回開始風量）よりも１段階下げる（ステップ３６）。また、ステップ３３で算出された温度変化が所定の温度以内の場合は、ステップ３５へ進み、次回開始風量を動作風量として運転を開始する。
【００３９】
なお、ステップ３１において、入タイマ以外での運転開始を判断すると（Ｎ）、ステップ３２へ進み、操作部６で設定された設定風量で運転を開始する。
【００４０】
このような構成により、より使用者が心地よい睡眠とすることができる。
【産業上の利用可能性】
【００４１】
本発明にかかる扇風機は、就寝時に段階的に風量を下げる制御をさせるときに、切タイマと入タイマを動作させるときに、入タイマでの動作再開時に、切タイマで停止時の風量で継続できるので、使用者が心地よい眠りを得られる扇風機等として有用である。
【符号の説明】
【００４２】
１  扇風機本体
２  ファン
３  ファンモータ
４  送風部
５  基台
６  操作部
７  室温センサ
８  制御部
９  モード設定部
１０  タイマ設定部
１１  送風量算出部
１２  ファンモータ制御部
１３  室温算出部
【図１】
2015113727.tif 000003
【図２】
2015113727.tif 000004
【図３】
2015113727.tif 000005
【図４】
2015113727.tif 000006
【図５】
2015113727.tif 000007
【図６】
2015113727.tif 000008
【図７】
2015113727.tif 000009
【図８】
2015113727.tif 000010
【図９】
2015113727.tif 000011